(57)【特許請求の範囲】
【請求項１】
撮像手段と、
複数の動作モードの何れかに設定する設定手段と、
表示手段を備え、前記撮像手段を備えた本体部に対する位置を変更可能に連結された表示部と、
前記撮像手段で動画を撮影記録している際に、前記表示部の位置が、前記表示手段の表示面が前記撮像手段で撮像される被写体と反対側を向くように開かれた第１の位置から、前記表示手段の表示面が前記本体部に対向するように閉じられた位置である第２の位置に変更されると、前記設定手段で第１のモードに設定されていた場合は動画の撮影記録を継続し、前記設定手段で第２のモードに設定されていた場合は動画の撮影記録を停止するように制御する制御手段と
を有することを特徴とする撮像装置。
【請求項２】
前記制御手段は、前記第１のモードに設定されていて前記撮像手段で動画を撮影記録している際に、前記表示部の位置が前記第１の位置から前記第２の位置に変更されても動画の撮影記録を継続し、該変更から所定時間後に前記表示部の位置が前記第２の位置のままである場合に動画の撮影記録を停止するように制御することを特徴とする請求項１に記載の撮像装置。
【請求項３】
前記制御手段は、前記第１のモードに設定されていて前記撮像手段で動作を撮影記録している際に、前記表示部の位置が、前記表示手段の表示面が前記撮像手段で撮像される被写体側を向くように開かれた第３の位置から、前記表示手段の表示面が露出するように、前記表示部のうち該表示面の反対側の面が前記本体部に対向するように閉じられた位置である第４の位置に変更されると、動画の撮影記録を停止するように制御することを特徴とする請求項１または２に記載の撮像装置。
【請求項４】
前記制御手段は、前記第１のモードに設定されていて前記撮像手段で動作を撮影記録している際に、前記表示部の位置が前記第１の位置から前記第３の位置に変更されると、前記表示手段を消灯するように制御することを特徴とする請求項３に記載の撮像装置。
【請求項５】
前記制御手段は、前記第１のモードに設定されていて前記撮像手段で動作を撮影記録している際に、前記表示部の位置が前記第１の位置から前記第３の位置に変更されると、警告を表示するように制御することを特徴とする請求項３又は４に記載の撮像装置。
【請求項６】
前記制御手段は、前記第２のモードに設定されていて前記撮像手段で動作を撮影記録している際に、前記表示部の位置が前記第１の位置から前記第３の位置に変更されると、前記表示手段を消灯することなく、該表示手段に前記撮像手段で撮像している画像を表示するように制御することを特徴とする請求項３乃至５のいずれか１項に記載の撮像装置。
【請求項７】
前記表示部の位置を検知する位置検知手段を更に有し、前記制御手段は、該位置検知手段での検知結果に応じて制御を行うことを特徴とする請求項１乃至６のいずれか１項に記載の撮像装置。
【請求項８】
前記設定手段は、複数の撮影モードのいずれかに設定することを特徴とする請求項１乃至７のいずれか１項に記載の撮像装置。
【請求項９】
前記第１のモードは、水中撮影用の撮影モードであることを特徴とする請求項１乃至８のいずれか１項に記載の撮像装置。
【請求項１０】
前記第１のモードは、風の影響による音の録音を低減するモードであることを特徴とする請求項１乃至８のいずれか１項に記載の撮像装置。
【請求項１１】
前記第１のモードは、集音手段で集音した音信号の低周波数域成分にフィルタをかけるモードであることを特徴とする請求項１乃至８のいずれか１項に記載の撮像装置。
【請求項１２】
前記設定手段は、前記第１のモードに設定されていない状態で、複数の集音手段で集音した音を比較し、レベル差が予め定められた値を超えると前記第１のモードに設定することを特徴とする請求項１０又は１１に記載の撮像装置。
【請求項１３】
前記撮像装置の落下を検出する落下検出手段を更に備え、
前記設定手段は、前記落下検出手段で落下を検出すると前記第１のモードに設定することを特徴とする請求項１乃至１２のいずれか１項に記載の撮像装置。
【請求項１４】
表示手段を備え、撮像手段を備えた本体部に対する位置を変更可能に連結された表示部を有する撮像装置の制御方法であって、
複数の動作モードの何れかに設定する設定ステップと、
前記撮像手段で動画を撮影記録している際に、前記表示部の位置が、前記表示手段の表示面が前記撮像手段で撮像される被写体と反対側を向くように開かれた第１の位置から、前記表示手段の表示面が前記本体部に対向するように閉じられた位置である第２の位置に変更されると、前記設定ステップで第１のモードに設定されていた場合は動画の撮影記録を継続し、前記設定ステップで第２のモードに設定されていた場合は動画の撮影記録を停止するように制御する制御ステップと
を有することを特徴とする撮像装置の制御方法。
【請求項１５】
コンピュータを、請求項１乃至１３のいずれか１項に記載された撮像装置の各手段として機能させるためのプログラム。
【請求項１６】
コンピュータを、請求項１乃至１３のいずれか１項に記載された撮像装置の各手段として機能させるためのプログラムを格納したコンピュータが読み取り可能な記憶媒体。
【発明の詳細な説明】
【技術分野】
【０００１】
本発明は、開閉式の表示パネルを備えた撮像装置及びその制御方法、プログラム並びに記憶媒体に関する。
【背景技術】
【０００２】
カメラ内部への水の浸入を防ぐ為、カメラ外装に防水加工を施したカメラやビデオカメラ（以下「防水型カメラ」という）が製品化されている。防水型カメラは、カメラ自体を特殊なハウジング（ウォータプルーフケース）で覆う必要が無いため、操作キーの入力制限が無く（操作性が損なわれず）、不慮の水没を回避することができるために、アウトドアでの使用に特に好適である。
【０００３】
防水型カメラは、水上や水中等で使用されるシーンが多いため、水流や水圧の影響を受けて、不意に操作キーが押されてしまうことがある。このような問題に対処するため、水上でのみ使用する押しボタンスイッチが所定時間以上連続して押下されたときにその操作を誤操作と判定し、操作入力を無効とする技術が提案されている（特許文献１参照）。また、水圧に応じて押しボタンスイッチにかかる水圧がキャンセルされる機械的構造を備えた押しボタンスイッチが提案されている（特許文献２参照）。
【０００４】
ビデオカメラの場合、このような押しボタンスイッチに加えて、一般的に開閉式の表示パネル（ＬＣＤパネル等）が設けられており、表示パネルの開閉がスイッチとして用いられている。例えば、表示パネルが閉じられたことが検出されると、撮影を終了してスタンバイモードへ移行させる等の使用方法が知られている。
【先行技術文献】
【特許文献】
【０００５】
【特許文献１】特開２００１−１００２７０号公報
【特許文献２】特開２００６−１５６１１５号公報
【発明の概要】
【発明が解決しようとする課題】
【０００６】
表示パネルは押しボタンスイッチよりも面積が大きいため、風や水流の影響を受けやすい。そのため、例えば、使用場所を問わず強風や突風の影響を受けて、また、水辺で使用しているときに不意に波を被る等の水流の影響を受けて、表示パネルが閉じてしまい、意図せずに撮影が停止してしまい、撮影に失敗してしまうという事態が生じ得る。
【０００７】
本発明の目的は、強風や水流等の影響で不意に表示パネルが閉じてしまっても撮影に失敗しない撮像装置を提供することを目的とする。
【課題を解決するための手段】
【０００８】
本発明の第１の観点に係る撮像装置は、撮像手段と、複数の動作モードの何れかに設定する設定手段と、表示手段を備え、前記撮像手段を備えた本体部に対する位置を変更可能に連結された表示部と、前記撮像手段で動画を撮影記録している際に、前記表示部の位置が、前記表示手段の表示面が前記撮像手段で撮像される被写体と反対側を向くように開かれた第１の位置から、前記表示手段の表示面が前記本体部に対向するように閉じられた位置である第２の位置に変更されると、前記設定手段で第１のモードに設定されていた場合は動画の撮影記録を継続し、前記設定手段で第２のモードに設定されていた場合は動画の撮影記録を停止するように制御する制御手段とを有することを特徴とする。
【発明の効果】
【００１１】
本発明によれば、強風や水流の影響で不意に表示パネルが閉じてしまった場合の撮影の失敗を回避することができる。
【図面の簡単な説明】
【００１２】
【図１】本発明の実施形態に係るデジタルビデオカメラの概略のハードウェア構成を示すブロック図である。
【図２】図１のデジタルビデオカメラが備えるＬＣＤパネルの機械的機構を示す斜視図である。
【図３】図１のデジタルビデオカメラにおいて撮影モードを設定するためのユーザインタフェースの表示例である。
【図４】図１のデジタルビデオカメラにおいて実行される第１実施形態に係る動作制御を示すフローチャートである。
【図５】図１のデジタルビデオカメラにおいて実行される第２実施形態に係る動作制御を示すフローチャートである。
【発明を実施するための形態】
【００１３】
以下、本発明の実施の形態について添付図面を参照して詳細に説明する。ここでは、撮像装置として、所謂、デジタルビデオカメラ（以下「ＤＶＣ」と略記する）を取り上げて、本発明について説明することとする。
【００１４】
《第１実施形態》
＜ＤＶＣのハードウェア構成＞
図１は、本発明の実施形態に係るＤＶＣ１００の概略のハードウェア構成を示すブロック図である。システムコントローラ１３０は、例えばＭＰＵ（Micro Processing Unit）であり、プロセッサコアやＩＯ汎用ポート、ＡＤ変換機等の周辺回路を含んでいる。システムコントローラ１３０が入力信号やプログラムにしたがってＤＶＣ１００を構成する各部を制御することにより、撮影制御や記憶制御、表示制御等が実現される。なお、ＤＶＣ１００全体の制御は１つのハードウェアが行ってもよいし、複数のハードウェアが処理を分担することによってＤＶＣ１００全体の制御が行われるようにしてもよい。
【００１５】
システムコントローラ１３０には、一次記憶装置の一例であるＲＡＭ（Random Access Memory）１７０と、システムコントローラ１３０が実行するプログラムが格納されている二次記憶装置の一例であるＲＯＭ（Read only Memory）１８０が接続されている。
【００１６】
被写体像を撮影する撮像手段としての撮影部１５０は、レンズやイメージセンサ、フォーカス制御やズーム制御のためのモータ等を含んでいる。ＤＶＣ１００は、音信号を電気信号に変換する第１の集音部である左チャネル用のマイクロフォン１５１と、第２の集音部である右チャネル用のマイクロフォン１５２を備えている。画像ファイル作成部１６０は、撮影後、撮影部１５０から取得した被写体像とマイクロフォン１５１，１５２から集音された音声信号とから、画像データと音声データとを含む画像ファイルを作成する。そして、システムコントローラ１３０は、カードインタフェース部１４２を通して、画像ファイル作成部１６０で作成した画像ファイルをメモリカード１４１へ書き込む。なお、カードインタフェース部１４２は、メモリカード１４１に対して規定されたタイミングにて信号を入出力することができる。また、メモリカード１４１への電力供給のオン／オフを制御することもできる。
【００１７】
ＤＶＣ１００は、パネル表示部としてＬＣＤパネル１１０を備える。ＬＣＤパネル１１０は、システム情報、撮影モード等の各種設定情報、撮影中の被写体像、メモリカード１４１に記憶されている画像ファイルの再生画像等、ＤＶＣ１００で取り扱われる各種情報を表示することができる。ＬＣＤパネル１１０のオン／オフ制御（点灯状態と消灯状態の切り替え）は、システムコントローラ１３０によるバックライト１１１のオン／オフ制御により実行される。
【００１８】
操作部１２０は、撮影者が指示する動作を実現させるために、撮影者からの指示等を受け付ける。撮影者が操作部１２０を操作すると、操作を受け付けた操作部１２０はシステムコントローラ１３０へ撮影者からの指示を伝える。操作部１２０は、例えば、撮影ボタンを含み、撮影ボタンが１回押下されると動画の撮影、記憶が開始され、更に１回押下されると動画の撮影、記憶は終了とされる。操作部１２０はまた、所謂、メニュー操作を行うためのメニューボタンや十字ボタン、決定ボタン、ＬＣＤパネル１１０の画面上にボタン表示を行い、表示されたボタンが押下されたことを検出するタッチパネル入力機構を含んでいる。
【００１９】
ＤＶＣ１００を駆動させるための電力はバッテリ１０２から供給され、電源制御回路１０１は、バッテリ１０２の出力電圧を検出してシステムコントローラ１３０へ通知する。ＤＶＣ１００をアウトドアで使用する際、バッテリ１０２としては一般的に、各種の一次電池や二次電池が用いられる。
【００２０】
＜ＬＣＤパネル１１０の機械的機構＞
図２は、ＤＶＣ１００が備えるＬＣＤパネル１１０の機械的機構を示す斜視図である。ＬＣＤパネル１１０は、２軸で本体に装着されており、撮影者の操作により受動的に開閉自在かつ回転自在となっている。第１軸２１０により開閉機構が実現され、ＬＣＤパネル１１０は、「閉位置」と「開位置」の２状態の間で変換自在となっている。「閉位置」は、ＬＣＤパネル１１０がＤＶＣ１００の本体側面に略密着して対向している状態となる位置を指す。一方、「開位置」は、ＬＣＤパネル１１０の表示面がＤＶＣ１００の本体側面に対して略垂直な状態となる位置を指す。
【００２１】
第２軸２２０はＬＣＤパネル１１０の表示面に平行であり、ＬＣＤパネル１１０は第２軸２２０の軸回りに回転自在となっている。これにより、ＬＣＤパネル１１０は、対面撮影時に被写体側にＬＣＤパネル１１０が向く「対面位置」と、撮影者側（被写体側の反対側）にＬＣＤパネル１１０が向く「正面位置」の２状態を取ることができる。なお、「対面位置」にあるＬＣＤパネル１１０を第１軸２１０回りに回転させて「閉位置」へ移動させることで、ＬＣＤパネル１１０をＤＶＣ１００の本体側面に略密着させた状態でＬＣＤパネル１１０の表示面を外側に露出させることができる。
【００２２】
ＤＶＣ１００は、図１に示されるように、ＬＣＤパネル１１０の開閉状態を検出する開閉検出スイッチ１２１（図２に不図示）と、ＬＣＤパネル１１０の回転状態を検出する回転検出スイッチ１２２（図２に不図示）を備えている。システムコントローラ１３０は、開閉検出スイッチ１２１と回転検出スイッチ１２２のそれぞれの検出状態を読み取って、ＬＣＤパネル１１０の開閉判定と回転判定を行う。
【００２３】
なお、図２には、ＬＣＤパネル１１０が「開位置」かつ「対面位置」となっている状態が示されている。一般的に、ＤＶＣ１００の運搬時等では、「正面位置」にあるＬＣＤパネル１１０を第１軸２１０回りに回転させて「閉位置」へ移動させた状態（つまり、ＬＣＤパネル１１０を直視できない状態）が用いられる。そのため、「正面位置」かつ「閉位置」となっている状態で機械的なロックを設けてもよい。第１実施形態では、「正面位置」かつ「閉位置」以外の位置では、ＬＣＤパネル１１０をスムーズに動作させるために、機械的なロック機構は設けられていない。
【００２４】
＜ＤＶＣ１００の動作モード＞
ＤＶＣ１００は、下記の３つの動作モードで動作可能に構成されている。第１の動作モードは、ＤＶＣ１００の全ての機能が使用可能であるシステムオンモード（撮影電源モード）である。第２の動作モードは、時刻情報の歩進を行うためのシステムタイマ動作及びシステムの設定情報を保持するためのメモリバックアップ動作を行うために、最小の電力で動作が可能なシステムオフモードである。第３の動作モードは、消費電力軽減の為に機能の一部を停止させ、即座にシステムオンモードへ復帰することができるシステムスタンバイモード（省電力モード）である。
【００２５】
なお、スタンバイモードでは、バックライト１１１はオフ状態に維持される。これらの動作モード設定は、操作部１２０の操作により行うことができ、また、システムコントローラ１３０により撮影状況に応じて自動的に行われる。
【００２６】
＜撮影モードの設定方法＞
図３は、ＤＶＣ１００において撮影モードを設定するためのユーザインタフェースの表示例である。操作部１２０のメニューボタン（不図示）が押下されると、図３（ａ）に示されるメニュー画面がＬＣＤパネル１１０に表示される。図３（ａ）に示される各種項目の中から上段左の「撮影モード」を選択、決定することにより、図３（ｂ）に示される撮影モード選択メニュー画面がＬＣＤパネル１１０に表示される。
【００２７】
ＤＶＣ１００は、少なくとも画像を再生するための再生モードと、撮影を行うための撮影モードとで、切り替えて使用することができ、撮影モードとしては、オートモード（図３（ｂ）上段左）やマニュアルモード、複数のシーン別撮影モードを備えている。シーン別撮影モードとは、撮影シーン別にその撮影シーンに適したシャッター速度や絞り値、ストロボ発光状態、感度設定、ホワイトバランス（ＷＢ）設定等を組み合わせることによって実現される撮影モードである。ＤＶＣ１００は、例えば、以下に記す（１）〜（１０）のシーン別撮影モードを備えている。但し、これらのシーン別撮影モードに限定されるものではない。
【００２８】
（１）水上撮影モード（ビーチモード）：太陽光の反射の強い海面や砂浜でも、人物などが暗くならずに撮影可能なモード（図３（ｂ）上段中央）
（２）夜景撮影モード：人物にストロボ光をあて、背景を遅いシャッター速度で記録する、夜景シーンに特化したモード（図３（ｂ）上段右）
（３）打ち上げ花火撮影モード：打ち上げ花火を最適な露出で鮮やかに撮影するためのモード（図３（ｂ）下段左）
（４）水中撮影モード：水中撮影に最適なホワイトバランスに設定し、青みを押さえた色合いで撮影するモード（図３（ｂ）下段中央）
（５）夕焼け撮影モード：シルエットを強調し、赤を強調して撮影するモード（図３（ｂ）下段右）
（６）ポートレート撮影モード：背景をぼかして人物を浮き立たせるようにして人物撮影に特化したモード（不図示）
（７）スポーツ撮影モード：動きの早い被写体をとるのに特化した設定とする撮影モード（不図示）
（８）スノー撮影モード：雪景色をバックにしても人物が暗くならず、青みも残さず撮影するモード（不図示）
（９）ナイト＆スナップ撮影モード：三脚なしで夜景と人物をきれいに撮るのに適したモード（不図示）
（１０）スポットライト撮影モード：スポットライトが当たった被写体をきれいに撮るモード
撮影者は、撮影モード選択メニューからＤＶＣ１００を所望の撮影モードに設定して撮影を行うことができる。
【００２９】
なお、図３（ａ）のメニュー画面では、選択中の項目のアイコンがハイライト表示されており、撮影者は、十字ボタンを操作して選択されているモードを移動させ、決定ボタンを押下することにより、所望の項目を選択、決定することができるようになっている。これは、図３（ｂ）の撮影モード選択メニュー画面でも同様である。なお、図３（ｂ）の下段のアイコンが選択されている状態で、選択が下へ移動するように十字ボタンが操作されると、シーン別撮影モードのうち、図３（ｂ）には示されていない他の撮影モードが現れるようになっている。
【００３０】
図３（ｂ）下段中央の「水中撮影モード（第１の撮影モード）」が選択、決定されると、撮影モードが水中撮影モードに設定される。第１実施形態では、撮影者が水中撮影モードを選択するときは、波被り等の水流の影響を受けやすい環境下での使用を前提としているものとする。また、撮影者が、水中撮影モード以外の撮影モード（以下「非水中撮影モード（第２の撮影モード）」という）を選択するときは、水流の影響を受けることが想定されない環境下での使用を前提としているものとする。但し、以下に説明する水中撮影モードでの処理を、水辺での使用が想定される水上撮影モードでの処理に適用してもよい。
【００３１】
＜ＤＶＣ１００の動作制御＞
図４は、ＤＶＣ１００において実行される第１実施形態に係る動作制御のフローチャートである。この動作制御は、開閉検出スイッチ１２１及び回転検出スイッチ１２２による撮影中のＬＣＤパネル１１０の状態の検出結果と撮影モードにしたがって、システムコントローラ１３０がＤＶＣ１００の各部を制御することにより実現される。
【００３２】
ＤＶＣ１００による撮影中であるものとし、撮影中に撮影ボタンが押下されたか判定される（ステップＳ４０１）。押下が検出された場合（Ｓ４０１で“ＹＥＳ”）、撮影終了操作と判断され、撮影は終了となる（ステップＳ４１５）。撮影中にはまた（Ｓ４０１で“ＮＯ”）、ＬＣＤパネル１１０が「閉位置」となったことを開閉検出スイッチ１２１が検出したかが判定される（ステップＳ４０２）。
【００３３】
「閉位置」が検出されない場合、つまり、開位置にある場合（Ｓ４０２で“ＮＯ”）、回転検出スイッチ１２２の状態がチェックされ、ＬＣＤパネル１１０が「対面位置」であるかが判定される（ステップＳ４１０）。「対面位置」ではない場合、つまり、「正面位置」の場合（Ｓ４１０で“ＮＯ”）、通常表示でバックライト１１１が点灯され（ステップＳ４１４）、その後、処理はステップＳ４０１へ戻される。一方、「対面位置」である場合（Ｓ４１０で“ＹＥＳ”）、水中撮影モードかが判定される（ステップＳ４１１）。
【００３４】
水中撮影モードの場合（Ｓ４１１で“ＹＥＳ”）、ＬＣＤパネル１１０のバックライト１１１が消灯され（ステップＳ４１２）、その後、処理はステップＳ４０１へ戻される。水中撮影モードでない場合（Ｓ４１１で“ＮＯ”）、被写体に対して鏡に映したように撮影画像に対して左右反転させる反転表示が行われ、バックライト１１１を点灯させ（ステップＳ４１３）、その後、処理はステップＳ４０１へ戻される。
【００３５】
ステップＳ４０２で「閉位置」であることが検出された場合（判定が“ＹＥＳ”）でも、回転検出スイッチ１２２の状態がチェックされ、ＬＣＤパネル１１０が「対面位置」であるかが判定される（ステップＳ４０３）。
【００３６】
「対面位置」である場合（Ｓ４０３で“ＹＥＳ”）、撮影モードが水中撮影モードであるかが判定される（ステップＳ４０４）。水中撮影モードの場合（Ｓ４０４で“ＹＥＳ”）、撮影は終了となり、第３の動作モードであるスタンバイモードへ移される（ステップＳ４０５）。一方、水中撮影モードではない場合、つまり、非水中撮影モードである場合（Ｓ４０４で“ＮＯ”）、反転表示が行われ、バックライト１１１が点灯され（ステップＳ４０６）、その後、処理はステップＳ４０１へ戻される。
【００３７】
ステップＳ４０３においてＬＣＤパネル１１０が「対面位置」でない、つまり、「正面位置」の場合（判定が“ＹＥＳ”）、撮影モードが水中撮影モードであるかが判定される（ステップＳ４０７）。水中撮影モードである場合（Ｓ４０７で“ＹＥＳ”）、ＬＣＤパネル１１０のバックライト１１１を消灯させ（ステップＳ４０８）、その後、処理はステップＳ４０１へ戻される。一方、水中撮影モードではない場合、つまり、非水中撮影モードである場合（Ｓ４０７で“ＮＯ”）、撮影は終了となり、第３の動作モードであるスタンバイモードへ移される（ステップＳ４０９）。
【００３８】
上述した動作制御の特徴について、以下に説明する。撮影者は、ＬＣＤパネル１１０を「正面位置」かつ「開位置」にして撮影を行うのが一般的であり、水流等の影響を受けやすい環境で使用する水中撮影モードでは、意図せず「開位置」から「閉位置」へＬＣＤパネル１１０が移動してしまうことがある。そのため、水中撮影モードでＬＣＤパネル１１０が「正面位置」かつ「閉位置」となった場合には、撮影者が意図しない操作と考え、撮影を継続させることとした（ステップＳ４０８）。このとき、第１実施形態では、省電力のためにバックライト１１１を消灯させるとしたが、必ずしもバックライト１１１を消灯させる必要は無い。
【００３９】
これに対して、非水中撮影モードでの撮影中にＬＣＤパネル１１０が「閉位置」かつ「正面位置」となったときは、撮影者が意図した操作と考え、撮影を終了させ、スタンバイモードへ遷移させることとした（ステップＳ４０９）。
【００４０】
一方、水中撮影モードで使用中において、ＬＣＤパネル１１０の位置に応じてスタンバイへ移行したいというニーズがある。例えば、シュノーケリング等の水中や水辺で使用する場合、撮影者は身体防護のためにグローブを着用していることが多く、小さな操作ボタンの操作を行い難い場合がある。このような状況下では、ＬＣＤパネル１１０の操作によりスタンバイモードへ移行させることができれば至便である。そこで、第１実施形態では、水中撮影モードでＬＣＤパネル１１０が「対面位置」かつ「閉位置」となったときには、撮影を終了してスタンバイモードへ遷移させることとした（ステップＳ４０５）。
【００４１】
これに対して、非水中撮影モードの場合、「対面位置」かつ「閉位置」は、画像の再生用途に使用されることが多く、水中撮影モードで画像を再生させるような使用機会は少ないと考えられる。そこで、非水中撮影モードでＬＣＤパネル１１０が「対面位置」かつ「閉位置」となったときに、反転表示とバックライト１１１の点灯が行われるようにした（ステップＳ４０６）。
【００４２】
ＬＣＤパネル１１０を「対面位置」かつ「開位置」にした撮影は通常は対人撮影時に使用される。これに対して、水中撮影モードでの被写体は水中や水上の人物や生物を撮影することが多いと考えられ、水中撮影モードでの使用頻度は、非水中撮影モードの使用頻度よりも低いと考えられる。そこで、水中撮影モードでＬＣＤパネル１１０を「対面位置」かつ「開位置」にした撮影中に意図せずＬＣＤパネル１１０が閉じて撮影が終了するのを防ぐため、ステップＳ４１２でバックライト１１１を消灯させ、この状態での撮影を行わないように撮影者に通知することとした。
【００４３】
以上、第１実施形態によれば、水中撮影モードで撮影しているときに意図せずＬＣＤパネル１１０が閉じても撮影に失敗することがなく、また、ＬＣＤパネル１１０の操作によって撮影を中断させ、スタンバイへ移行することも可能にした。なお、ステップＳ４１２では、バックライト１１１の消灯により撮影者にこのままの使用を推奨しないことを通知したが、これに限られず、警告メッセージがＬＣＤパネル１１０に表示されるようにしてもよい。
【００４４】
《第２実施形態》
第１実施形態では、撮影モードとＬＣＤパネル１１０の位置との組み合わせによる動作制御を行ったが、第２実施形態では、ＬＣＤパネル１１０の位置が変化するタイミングを考慮した動作制御を行う。また、第１の実施形態では、水流によりＬＣＤパネル１１０が意図せず閉じてしまう環境を例に挙げたが、第２実施形態では、強風（突風）によりＬＣＤパネル１１０が意図せず閉じる環境を例に挙げる。なお、第２実施形態において第１実施形態と共通する部分については、その旨を記して詳細な説明を省略する。
【００４５】
＜撮影モードの設定方法＞
ＤＶＣ１００では、撮影者が操作部１２０を操作することにより、ウインドカット機能のオン／オフを設定することができるようになっている。ウインドカット機能では、マイクロフォンに強風が当たってボソボソした音が録音されるのを防止するため、マイクロフォンが検出する集音信号（音声信号）に概ね１００Ｈｚ以下の低周波数域成分にフィルタが掛けられる。ウインドカット機能がオンされた撮影モード（ウインドカット撮影モード（第１の撮影モード））では、システムコントローラ１３０は、常にマイクロフォン１５１，１５２が検出した集音信号（音声信号）を比較する。そして、低域成分のレベル差が閾値を超えると、システムコントローラ１３０は、ＤＶＣ１００に強風があたっていると判断し、マイクロフォン１５１，１５２の少なくとも一方にフィルタを掛ける。
【００４６】
第２実施形態では、ウインドカット撮影モードに設定されており、強風の影響でＬＣＤパネル１１０が閉じる可能性がある環境下での使用を前提としているものとする。また、ウインドカット機能がオフに設定されている撮影モード（非ウインドカット撮影モード（第２の撮影モード））は、強風でＬＣＤパネル１１０が閉じることが想定されない環境下で使用されることを前提としているものとする。
【００４７】
＜ＤＶＣ１００の動作制御＞
図５は、ＤＶＣ１００において実行される第２実施形態に係る動作制御のフローチャートである。ＤＶＣ１００による撮影中であるものとし、撮影中に撮影ボタンが押下されたか判定される（ステップＳ５０１）。押下が検出された場合（Ｓ５０１で“ＹＥＳ”）、撮影終了操作と判断され、撮影は終了となる（ステップＳ５１５）。撮影中にはまた（Ｓ４０１で“ＮＯ”）、回転検出スイッチ１２２の状態がチェックされ、ＬＣＤパネル１１０が「対面位置」であるかが判定される（ステップＳ５０２）。
【００４８】
「対面位置」である場合（Ｓ５０２で“ＹＥＳ”）、反転表示が行われ、バックライト１１１がオンとされて（ステップＳ５１３）、その後、処理はステップＳ５０１へ戻される。「対面位置」ではない場合（Ｓ５０２で“ＮＯ”）、開閉検出スイッチ１２１の状態がチェックされ、ＬＣＤパネル１１０が「閉位置」であるかが判定される（ステップＳ５０３）。）「閉位置」でない場合（Ｓ５０３で“ＮＯ”）、処理はステップＳ５０１へ戻される。「閉位置」である場合（Ｓ５０３で“ＹＥＳ”）、ウインドカット撮影モードであるかが判定される（ステップＳ５０４）。
【００４９】
ウインドカット撮影モードでない場合（Ｓ５０４で“ＮＯ”）、撮影は終了とされ、スタンバイモードへ移行される（ステップＳ５１４）。ウインドカット撮影モードである場合（Ｓ５０４で“ＹＥＳ”）、バックライト１１１がオフとされ（ステップＳ５０５）、更に、カウントダウンタイマが起動される（ステップＳ５０６）。なお、カウントダウンタイマの設定値（一定期間）は、予め定められてＲＯＭ１８０に格納されている。
【００５０】
設定された一定期間が計測され、その一定期間が経過したか否か、つまり、カウントダウンタイマがゼロ（０）以下になったかが判定される（ステップＳ５０７）。ゼロ以下となっていない場合、つまり、カウントダウンタイマが正の値を取る場合（Ｓ５０７で“ＮＯ”）、カウントダウンタイマがデクリメントされる（ステップＳ５１０）。その後、開閉検出スイッチ１２１の状態がチェックされ、ＬＣＤパネル１１０が「開位置」になったかが判定される（ステップＳ５１１）。「開位置」になっていない場合（Ｓ５１１で“ＮＯ”）、処理はステップＳ５０７へ戻される。「開位置」となった場合（Ｓ５１１で“ＮＯ”）、通常表示でバックライト１１１を点灯させ（ステップＳ５１２）、その後、処理はステップＳ５０１へ戻される。
【００５１】
ステップＳ５０７においてカウントダウンタイマがゼロ以下になったことが検出された場合（判定が“ＹＥＳ”）、ＬＣＤパネル１１０が「閉位置」になったことを検出したステップＳ５０３以降に撮影された画像が消去される（ステップＳ５０８）。その後、撮影は終了され、スタンバイモードへ移行される（ステップＳ５０９）。
【００５２】
上述した動作制御の特徴について、以下に説明する。撮影者は「正面位置」かつ「開位置」にて撮影を行うのが通常であり、強風等の影響を受けやすい環境で使用するウインドカット撮影モードでは、意図せずＬＣＤパネル１１０が「開位置」から「閉位置」へ移動してしまうことがある。そこで、第２実施形態では、ウインドカット撮影モードでは、即座に撮影を終了せず、カウントダウンタイマが動作している間は撮影を継続させる保留期間を設けた（Ｓ５０７，Ｓ５１０，Ｓ５１１）。よって、撮影者は、保留期間内に意図せずにＬＣＤパネル１１０が閉じてしまったことに気付いた場合、再度、ＬＣＤパネル１１０を「開位置」に手動で戻すことにより、撮影を継続することができる。
【００５３】
一方、カウントダウンタイマがゼロ以下、つまり、保留期間が終了しても開閉検出スイッチが「開位置」を検出しないときは、撮影者は意図して閉じたものとして撮影を終了するものとした。このとき、意図してＬＣＤパネル１１０を閉じた時点以降の撮影画像は不要であるため、ステップＳ５０８の処理を設けた。なお、非ウインドカット撮影モードでＬＣＤパネル１１０が「正面位置」かつ「閉位置」とされたときには、ステップＳ５１４において、即座に撮影は終了となり、スタンバイモードとされるとした。
【００５４】
以上、第２実形態によれば、ウインドカット撮影モードで撮影しているときに不意にＬＣＤパネル１１０が閉じても、撮影に失敗することなく、また、ＬＣＤパネル１１０の操作によって撮影を中断させ、スタンバイへ移行することができる。なお、カウントダウンタイマの設定値は、撮影者がメニュー画面から変更可能な構成となっていてもよい。
【００５５】
《その他の実施形態》
以上、本発明の実施形態について説明したが、本発明はこれら特定の実施形態に限られるものではなく、本発明の要旨を逸脱しない範囲の様々な形態もまた本発明に含まれる。さらに、上述した各実施形態は本発明の一実施形態を示すものにすぎず、各実施形態を適宜組み合わせることも可能である。
【００５６】
例えば、不意にＬＣＤパネル１１０が閉じてしまう可能性を考慮した撮影モードとして、第１実施形態では水中撮影モードを、第２実施形態ではウインドカット撮影モードをそれぞれ設定した。これに対し、システムコントローラ１３０が、自動的に撮影モードを切り替えるようにしてもよいし、撮影者が意図せずパネルが閉じてしまったのか否かを自動的に判定する構成としてもよい。すなわち、例えば、第２実施形態では、ウインドカット撮影モードで開閉検出スイッチ１２１が「閉位置」を検出しても、非ウインドカット撮影モードとは異なり、即座に撮影を終了させない処理を行った。
【００５７】
これに対して、実際にウインドカット処理を行うか否かを判定条件に加え、ウインドカット処理を行うときにだけ、非ウインドカット撮影モードとは異なる動作を取る（つまり、撮影モードをウインドカット撮影モードに設定する）ように構成することができる。実際にウインドカット処理を行うか否かの判定は、マイクロフォン１５１，１５２が検出した集音信号（音声信号）のレベル差が予め定められた一定値を超えるか否かによって行い、この一定値を超えた場合に実際にウインドカット処理を行うものとする。
【００５８】
また、記憶媒体としてメモリカード１４１の代わりにＨＤＤ（Hard Disc Drive）を用いた場合、ＤＶＣ１００を誤って落とす等したときにＨＤＤを保護するため、落下検出のためのセンサを同時にＤＶＣ１００に実装することが好ましい。このようなハードウェア構成では、落下検出中又は落下検出後の一定期間内に空気抵抗や落下衝撃によってＬＣＤパネル１１０が意図せず閉じてしまう場合が想定される。
【００５９】
そこで、落下検出用センサがＤＶＣ１００の落下を検出した際に、非ウインドカット撮影モードとは異なる動作として（つまり、撮影モードをウインドカット撮影モードに設定して）、即座に撮影を終了させない処理を行わせてもよい。なお、このような機能を用いるか用いないかを、撮影者が選択して設定することができる構成とすることもできる。
【００６０】
更に、上述の実施形態は、本発明をデジタルビデオカメラに適用した場合を例にして説明したが、これに限定されることなく、バリアングル液晶を備えたコンパクトデジタルカメラ、デジタル一眼レフカメラの動画撮影機能にも適用可能である。また、本発明は、動画撮影機能を持ち、表示部が開閉式やスライド式であり、閉じることで動画記憶を停止させる携帯電話端末やゲーム機にも適用可能である。
【００６１】
本発明は、以下の処理を実行することによっても実現される。即ち、上述した実施形態の機能を実現するソフトウェア（プログラム）をネットワーク又は各種記憶媒体を介して装置に供給し、その装置のコンピュータ（又はＣＰＵやＭＰＵ等）がプログラムコードを読み出して実行する処理である。この場合、そのプログラム及びそのプログラムを記憶した記憶媒体は本発明を構成することになる。
【符号の説明】
【００６２】
１００    デジタルビデオカメラ（ＤＶＣ）
１０２    バッテリ
１１０    ＬＣＤパネル
１１１    バックライト
１２０    操作部
１２１    開閉検出スイッチ
１２２    回転検出スイッチ
１３０    システムコントローラ
１５１    マイクロフォン（左チャネル）
１５２    マイクロフォン（右チャネル）
【図１】
0005511540.tif 000002
【図２】
0005511540.tif 000003
【図３】
0005511540.tif 000004
【図４】
0005511540.tif 000005
【図５】
0005511540.tif 000006